(57)【要約】【課題】印刷が中断して再開した場合に、再開した位置に目印となる特定の媒体を挿入することを可能とする印刷制御装置、プログラム及び印刷システムを提供する。【解決手段】印刷制御装置は、第１の媒体に印刷を実行して排出先に排出するよう印刷装置を制御する第１の排出制御手段と、印刷が中断して再開した場合に、予め定められた給紙先から第２の媒体を給紙するよう印刷装置を制御する給紙制御手段と、この給紙制御手段による排出先への第２の媒体の排出制御が禁止されている場合に、第３の媒体を排出先に排出するようことをユーザに提示し、印刷が再開する際に、第３の媒体を排出するよう印刷装置を制御する第２の排出制御手段とを備える。【選択図】図２
2020055201.tif 000002
【特許請求の範囲】
【請求項１】
第１の媒体に印刷を実行して排出先に排出するよう印刷装置を制御する第１の排出制御手段と、
前記印刷が中断して再開した場合に、予め定められた給紙先から第２の媒体を給紙するよう前記印刷装置を制御する給紙制御手段と、
前記給紙制御手段による前記排出先への前記第２の媒体の排出制御が禁止されている場合に、第３の媒体を前記排出先に排出するようことをユーザに提示し、前記印刷が再開する際に、前記第３の媒体を前記排出先に排出するよう前記印刷装置を制御する第２の排出制御手段と、
を備える、印刷制御装置。
【請求項２】
前記第２の排出制御手段は、前記第２の媒体が前記第１の媒体のサイズと異なるサイズを有し、かつ、前記排出先に異なるサイズの媒体を排出できないように設定されている場合に、前記第３の媒体を前記排出先に排出することをユーザに提示する、
請求項１に記載の印刷制御装置。
【請求項３】
前記第２の排出制御手段は、印刷が行われていない前記第１の媒体を前記第３の媒体として、印刷が行われた他の前記第１の媒体と異なる態様で排出することをユーザに提示する、
請求項２に記載の印刷制御装置。
【請求項４】
前記第２の排出制御手段は、前記予め定められた給紙先と異なる給紙先から給紙された、前記第１の媒体と同一のサイズを有する第３の媒体を排出するよう制御する、
請求項２に記載の印刷制御装置。
【請求項５】
前記第２の排出制御手段は、前記予め定められた給紙先と異なる給紙先から給紙された、前記第１の媒体よりも大きなサイズを有する第３の媒体の排出するよう制御する
請求項２に記載の印刷制御装置、
【請求項６】
前記第２の排出制御手段は、前記第３の媒体を印刷が行われた他の前記第１の媒体と異なる態様で排出するよう制御する、
請求項４又は５に記載の印刷制御装置。
【請求項７】
前記第２の排出制御手段は、前記異なる態様として、前記印刷の再開の直後に印刷が行われた前記第１の媒体を前記第３の媒体として前記排出先における排出位置をずらして、又は、排出方向を変えて排出するよう制御する、
請求項６に記載の印刷制御装置。
【請求項８】
前記第２の排出制御手段は、前記再開の直後に印刷が行われた前記第１の媒体を、他の第１の媒体と異なる態様で排出する、
請求項１又は２に記載の印刷制御装置。
【請求項９】
前記第２の排出制御手段は、前記再開の直後を含む複数枚の前記第１の媒体を、他の第１の媒体と異なる態様で排出する、
請求項８に記載の印刷制御装置。
【請求項１０】
前記第２の排出制御手段は、前記異なる態様として、前記印刷の再開の直後に印刷が行われた前記第１の媒体を、前記排出先における排出位置をずらして、又は、排出方向を変えて排出するよう制御する、
請求項８又は９に記載の印刷制御装置。
【請求項１１】
コンピュータを、
第１の媒体に印刷を実行して排出先に排出するよう印刷装置を制御する排出制御手段と、
前記印刷が中断して再開した場合に、予め定められた給紙先から第２の媒体を給紙するよう前記印刷装置を制御する給紙制御手段と、
前記給紙制御手段による前記排出先への前記第２の媒体の排出制御が禁止されている場合に、第３の媒体を前記排出先に排出するようことをユーザに提示し、前記印刷が再開する際に、前記第３の媒体を前記排出先に排出するよう前記印刷装置を制御する第２の排出制御手段、
として機能させるためのプログラム。
【請求項１２】
サイズ混在ジョブが禁止、かつ、印刷が中断して再開した場合には印刷で用いた媒体と異なるサイズの媒体を供給するよう設定された場合において、
印刷が中断したとき、サイズ混在ジョブの禁止の設定、または、サイズの異なる媒体を供給する設定のいずれか一方の設定変更を、ユーザに提示する印刷システム。
【発明の詳細な説明】
【技術分野】
【０００１】
本発明は、印刷制御装置、プログラム及び印刷システムに関する。
【背景技術】
【０００２】
近年、複数の給紙先のうち指定された給紙先から給紙する印刷装置が提案されている（例えば、特許文献１参照。）。
【０００３】
特許文献１に記載された印刷装置は、複数のページの所望の位置に挿入される用紙を、給紙部から指定するか、用紙の種類から指定するかの設定を受け付ける受付手段と、前記受付手段において、前記用紙を給紙部から指定すると設定された場合に、ユーザから指定された給紙部にて給紙する用紙の種類が所定の種類の用紙である場合には、当該所定の種類の用紙の詳細情報を設定するための画面を表示し、前記用紙を用紙の種類から指定すると設定された場合に、ユーザから指定された用紙の種類が所定の種類の用紙である場合には、当該指定された所定の用紙の種類を給紙する給紙部と当該指定された所定の種類の用紙の詳細情報とを設定するための画面を表示する表示制御手段とを備える。
【先行技術文献】
【特許文献】
【０００４】
【特許文献１】特開２０１３−１６１３７４号公報
【発明の概要】
【発明が解決しようとする課題】
【０００５】
本発明の課題は、印刷が中断して再開した場合に、再開した位置に目印となる特定の媒体を挿入することを可能とする印刷制御装置、プログラム及び印刷システムを提供することにある。
【課題を解決するための手段】
【０００６】
［１］第１の媒体に印刷を実行して排出先に排出するよう印刷装置を制御する第１の排出制御手段と、
前記印刷が中断して再開した場合に、予め定められた給紙先から第２の媒体を給紙するよう前記印刷装置を制御する給紙制御手段と、
前記給紙制御手段による前記排出先への前記第２の媒体の排出制御が禁止されている場合に、第３の媒体を前記排出先に排出するようことをユーザに提示し、前記印刷が再開する際に、前記第３の媒体を前記排出先に排出するよう前記印刷装置を制御する第２の排出制御手段と、
を備える、印刷制御装置。
［２］前記第２の排出制御手段は、前記第２の媒体が前記第１の媒体のサイズと異なるサイズを有し、かつ、前記排出先に異なるサイズの媒体を排出できないように設定されている場合に、前記第３の媒体を前記排出先に排出することをユーザに提示する、
前記［１］に記載の印刷制御装置。
［３］前記第２の排出制御手段は、印刷が行われていない前記第１の媒体を前記第３の媒体として、印刷が行われた他の前記第１の媒体と異なる態様で排出することをユーザに提示する、
前記［２］に記載の印刷制御装置。
［４］前記第２の排出制御手段は、前記予め定められた給紙先と異なる給紙先から給紙された、前記第１の媒体と同一のサイズを有する第３の媒体を排出するよう制御する、
前記［２］に記載の印刷制御装置。
［５］前記第２の排出制御手段は、前記予め定められた給紙先と異なる給紙先から給紙された、前記第１の媒体よりも大きなサイズを有する第３の媒体の排出するよう制御する
前記［２］に記載の印刷制御装置、
［６］前記第２の排出制御手段は、前記第３の媒体を印刷が行われた他の前記第１の媒体と異なる態様で排出するよう制御する、
前記［４］又は［５］に記載の印刷制御装置。
［７］前記第２の排出制御手段は、前記異なる態様として、前記印刷の再開の直後に印刷が行われた前記第１の媒体を前記第３の媒体として前記排出先における排出位置をずらして、又は、排出方向を変えて排出するよう制御する、
前記［６］に記載の印刷制御装置。
［８］前記第２の排出制御手段は、前記再開の直後に印刷が行われた前記第１の媒体を、他の第１の媒体と異なる態様で排出する、
前記［１］又は［２］に記載の印刷制御装置。
［９］前記第２の排出制御手段は、前記再開の直後を含む複数枚の前記第１の媒体を、他の第１の媒体と異なる態様で排出する、
前記［８］に記載の印刷制御装置。
［１０］前記第２の排出制御手段は、前記異なる態様として、前記印刷の再開の直後に印刷が行われた前記第１の媒体を、前記排出先における排出位置をずらして、又は、排出方向を変えて排出するよう制御する、
前記［８］又は［９］に記載の印刷制御装置。
［１１］コンピュータを、
第１の媒体に印刷を実行して排出先に排出するよう印刷装置を制御する排出制御手段と、
前記印刷が中断して再開した場合に、予め定められた給紙先から第２の媒体を給紙するよう前記印刷装置を制御する給紙制御手段と、
前記給紙制御手段による前記排出先への前記第２の媒体の排出制御が禁止されている場合に、第３の媒体を前記排出先に排出するようことをユーザに提示し、前記印刷が再開する際に、前記第３の媒体を前記排出先に排出するよう前記印刷装置を制御する第２の排出制御手段、
として機能させるためのプログラム。
［１２］サイズ混在ジョブが禁止、かつ、印刷が中断して再開した場合には印刷で用いた媒体と異なるサイズの媒体を供給するよう設定された場合において、
印刷が中断したとき、サイズ混在ジョブの禁止の設定、または、サイズの異なる媒体を供給する設定のいずれか一方の設定変更を、ユーザに提示する印刷システム。
【発明の効果】
【０００７】
請求項１、１１、１２に係る発明によれば、印刷が中断して再開した場合に、再開した位置に目印となる特定の媒体が挿入される。
請求項２に係る発明によれば、排出先が異なるサイズの用紙の排出を禁止している場合であっても処理が再開した位置に目印となる特定の媒体が挿入される。
請求項３、４、５、６、７に係る発明によれば、排出先が異なるサイズの用紙の排出を禁止している場合であっても目印となる用紙が挿入される。
請求項８、９、１０に係る発明によれば、用紙の無駄が抑制される。
【図面の簡単な説明】
【０００８】
【図１】図１は、本発明の一実施の形態に係る印刷システムの構成例を示す図である。
【図２】図２は、プリントサーバの制御系の一例を示すブロック図である。
【図３】図３は、トレイ情報テーブルの一例を示す図であり、（ａ）は、給紙トレイ情報テーブルの一例を示し、（ｂ）は、排出トレイ情報テーブルの一例を示す。
【図４】図４は、リカバリー設定情報の一例を示す図である。
【図５】図５は、モニタに表示される設定画面の一例を示す図である。
【図６】図６（ａ）、（ｂ）は、回避方法に係るリカバリーオフセットの一例を説明する説明図である。
【図７】図７は、図１に示すプリントサーバの動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る印刷制御装置は、第１の媒体に印刷を実行して排出先に排出するよう印刷装置を制御する第１の排出制御手段と、印刷が中断して再開した場合に、予め定められた給紙先から第２の媒体を給紙するよう印刷装置を制御する給紙制御手段と、この給紙制御手段による排出先への第２の媒体の排出制御が禁止されている場合に、印刷が再開したとき、第３の媒体を排出するよう印刷装置を制御する第２の排出制御手段とを備える。
【００１１】
「第１の媒体」は、印刷ジョブにより指定された印刷が実行される用紙である。「第２の媒体」及び「第３の媒体」はともに、中断した印刷が再開された場合に、再開した位置を目視的に特定するための支援を行う目印となる媒体である。「第２の媒体」は、例えば、給紙トレイを指定することにより、印刷の再開の際に排出される予め定められている媒体である。
【００１２】
「第３の媒体」は、第２の媒体を排出できないときに排出されるものであり、第２の媒体の排出が禁止されている場合であっても当該排出先に排出されることが禁止されていない媒体が該当する「第３の媒体」には、例えば、第２の媒体を給紙する給紙トレイと異なる給紙トレイから排出される媒体や、第１の媒体を給紙する給紙トレイから給紙される媒体が含まれる。
【００１３】
「排出先への第２の媒体の排出制御が禁止されている場合」には、例えば、当該排出先が異なるサイズの用紙を受け付けないように予め設定されている場合が該当する。
【００１４】
［実施の形態］
図１は、本発明の一実施の形態に係る印刷システムの構成例を示す図である。この印刷システム１は、印刷処理を行うプリンタ２と、プリンタ２を制御するプリントサーバ３と、プリントサーバ３に接続されたモニタ４Ａ及び入力デバイス４Ｂを含んで構成されたユーザ表示部４と、複数の端末装置としてのパーソナルコンピュータ（ＰＣ）６とを備える。プリンタ２は、印刷装置の一例である。プリントサーバ３は、印刷制御装置の一例である。
【００１５】
プリントサーバ３及びＰＣ６は、例えば、インターネット８に接続されたＬＡＮ（ローカル・エリア・ネットワーク）等のネットワーク７によって互いに接続されている。プリンタ２とプリントサーバ３とは、例えば、ＬＡＮや光ケーブル等のネットワーク９を介して接続されている。
【００１６】
プリンタ２は、媒体の一例である用紙を印刷部２１に供給する給紙部２０と、印刷部２１により印刷が行われた用紙（以下、印刷が行われていない用紙と区別する場合は印刷が行われた用紙を特に「印刷物」ともいう。）に後処理を施す後処理装置２２と、用紙を排出する複数の排出先とを備える。給紙部２０は、複数の給紙トレイ２０ａを有する。なお、プリンタ２は、後処理装置２２を備えていない構成でもよい。印刷物に係る用紙は、第１の媒体の一例である。
【００１７】
プリンタ２が有する排出先には、例えば、スタッカートレイ２３Ａ，２３Ｂ、フィニッシャートレイ２５、フィニッシャー排出トレイ２６、及び外部フィニッシャー２７等が含まれる。スタッカートレイ２３Ａ，２３Ｂ及びフィニッシャートレイ２５は、大量の用紙を集積可能に構成されている（すなわち、「大容量トレイ」ともいう。）。フィニッシャー排出トレイ２６は、プリンタ２の上部に設けられたトップトレイであり、少量の用紙を集積可能に構成されている。
【００１８】
プリントサーバ３は、ネットワーク９を介してプリンタ２に印刷指示（以下、「印刷ジョブ」ともいう。）に従った印刷を行わせるための制御を行う。すなわち、プリントサーバ３は、例えば、印刷ジョブに含まれる印刷データをプリンタ２が処理可能な印刷データに変換する処理を行う。
【００１９】
ユーザ表示部４のモニタ４Ａは、液晶ディスプレイ、有機ＥＬディスプレイ等のディスプレイを用いることができる。また、入力デバイス４Ｂは、マウス、キーボード等を用いることができる。なお、モニタ４Ａは、入力と表示とが可能なタッチパネルモニタでもよい。この場合は、入力デバイス４Ｂを省いてもよい。
【００２０】
図２は、プリントサーバ３の制御系の一例を示すブロック図である。プリントサーバ３は、プリンタ制御部３０、記憶部３１、画像処理部３３、ビデオＩ／Ｆ（インターフェース）３４、入力Ｉ／Ｆ（インターフェース）３５、ネットワークＩ／Ｆ（インターフェース）３６Ａ、３６Ｂ等を含んで構成されている。
【００２１】
プリンタ制御部３０は、ＣＰＵ（Central Processing Unit）、インターフェース、メモリ等から構成されている。ＣＰＵは、記憶部３１に記憶されているプログラム３１０に従って動作することにより、設定手段３０１、受付手段３０２、検知手段３０３、トレイ制御手段３０４等として機能する。トレイ制御手段３０４は、第１の排出制御手段、給紙制御手段及び第２の排出制御手段の一例である。各手段３０１〜３０４の詳細については、後述する。
【００２２】
記憶部３１は、ＲＯＭ（Read Only Memory）、ＲＡＭ（Random Access Memory）、ハードディスク等から構成され、プログラム３１０、トレイ情報テーブル３１１、リカバリー設定情報３１２、画面情報３１３等の各種の情報が記憶されている。なお、本明細書において、テーブル等に情報を書き込む場合には「記録」を用い、記憶部３１に情報を書き込む場合には「記憶」を用いる。
【００２３】
図３は、トレイ情報テーブル３１１の一例を示す図であり、（ａ）は、給紙トレイ情報テーブルの一例を示し、（ｂ）は、排出トレイ情報テーブルの一例を示す。トレイ情報テーブル３１１は、プリンタ２が有する給紙トレイ２０ａの情報を記録した給紙トレイ情報テーブル３１１Ａ、及び上述した排出トレイの情報を記録した排出トレイ情報テーブル３１１Ｂを含む。
【００２４】
図３（ａ）に示すように、給紙トレイ情報テーブル３１１Ａには、例えば、給紙トレイ２０ａの名称やＩＤ等の給紙トレイ２０ａを識別する識別情報と、この識別情報に関連付けられた、給紙トレイ２０ａに収容されている用紙の種種（「紙類」ともいう。）、サイズ、色等の用紙の属性に係る属性情報とが含まれる。なお、用紙の属性情報には、用紙の搬送方向に対する向きをさらに含めてもよい。
【００２５】
図３（ｂ）に示すように、排出トレイ情報テーブル３１１Ｂには、例えば、排出先の名称やＩＤ等の排出トレイを識別する識別情報と、この識別情報に関連付けられた、積載できる用紙の容量（以下、「最大積載可能枚数」ともいう。）、現在積載されている用紙の枚数を示す数情報（以下、「積載枚数」ともいう。）、サイズ混在ジョブの排出が許可されているか禁止されているかを示す情報等が含まれる。
【００２６】
ここで、「サイズ混在ジョブ」とは、異なるサイズの用紙を排出する印刷の指示をいう。「サイズ混在ジョブの排出が許可されている」とは、当該排出先がサイズの異なる用紙の排出を受け付けられることをいう。「サイズ混在ジョブの排出が禁止されている」とは、当該排出先がサイズの異なる用紙の排出を受け付けないことをいう。「許可」か「禁止」かは、例えば、ユーザの指定により予め排出先に応じて設定されていてもよい。
【００２７】
なお、「異なるサイズ」とは、Ａ４、Ｂ５、Ａ３・・等のサイズを示す規格が異なることをいい、寸法が完全に一致するもの以外の状態すべてを含むことを意味するものではない。また、「同一のサイズ」とは、寸法が完全に一致するものを意味するものではない。
【００２８】
図４は、リカバリー設定情報３１２の一例を示す図である。図４に示すように、リカバリー設定情報３１２は、リカバリーオフセット（後述する）を実行するための設定値（「パラメータ」ともいう。）を含む情報である。これらの設定値は、例えば、設定画面５（図５参照）を用いて設定してもよい。
【００２９】
画面情報３１３について、図５を参照して説明する。図５は、モニタ４Ａに表示される設定画面の一例を示す図である。設定画面５は、リカバリー設定情報３１２に記録される情報を設定する画面である。図５に示すリカバリー設定は、デフォルトとして予め初期設定されている条件である。なお、印刷時にリカバリーが必ずしも発生するわけではないため、印刷の実行において、リカバリー設定は必須ではない。  
【００３０】
設定画面５には、例えば、リカバリーオフセットを行うか否かを設定する第１のチェックボックス５０、リカバリーオフセットの実行の方法を選択的に設定する第１の選択釦５２Ａ，５２Ｂ、リカバリーシートを給紙する給紙トレイ２０ａを設定する第１の設定ボックス５２０、給紙先となる給紙トレイ２０ａが指定されたリカバリーシート（以下、この給紙先が指定されたリカバリーシートを特に「第１のリカバリーシート」ともいう。）を印刷ジョブにより指定された排出先に排出することが禁止されている場合に、この第１のリカバリーシートの排出の動作を停止しないように制御する（以下、「自動で回避する」や「自動回避」ともいう。）か否かを設定する第２のチェックボックス５４、及び自動回避が設定されている場合に、自動回避の方法（「回避方法」ともいう。）を選択的に設定する第２の選択釦５４０Ａ，５４０Ｂ等が含まれる。第１のリカバリーシートは、第２の媒体の一例である。
【００３１】
なお、チェックボックス５４が空欄であって、かつ、リカバリーシートと印刷ジョブで用いるジョブで用いる用紙サイズとが異なる場合であっても、リカバリー設定を保存し、印刷を開始するができる。このような設定が矛盾した設定であることをプリントサーバ３は判断できる。しかしながら、リカバリーは必ずしも発生することは限らないため、そのような矛盾した設定であったとしても印刷を開始させ、万が一、リカバリーが必要になった場合に、改めてリカバリーの設定を決定する。
【００３２】
リカバリーオフセットの実行の方法には、予め定められたリカバリーシートを排出する（以下、単に「リカバリーシートを挿入する」ともいう。）第１の方法や、再開後の直後（すなわち、再開後の１枚目）の印刷物をその他の用紙と異なる態様で排出する第２の方法等が含まれる。
【００３３】
「異なる態様」には、例えば、リカバリーシートや再開後の１枚目の印刷物（以下、「特定の用紙」ともいう。）をその他の用紙からはみ出るように排出する第１の態様や、特定の用紙の排出の方向（単に「排出方向」ともいう。）を変えて排出する第２の態様等が含まれる。排出方向を変えるとは、例えば、特定の用紙をその他の用紙の排出方向と直交する向きにすることが該当する。
【００３４】
なお、以下、特定の用紙を他の用紙からはみ出るようにすることを、単に「オフセットする」ともいう。オフセットは、排出位置をずらして排出する態様の一例である。
【００３５】
また、「リカバリーシートを印刷ジョブにより指定された排出先に排することが禁止されている場合」とは、例えば、サイズ混在ジョブを禁止するように設定されている排出トレイ（以下「ミックスサイズ禁止トレイ」ともいう。）に、印刷物のサイズと異なるサイズを有するリカバリーシートを排出しようとする場合が該当する。
【００３６】
回避方法には、例えば、第１のリカバリーシートを印刷物のサイズと同一のサイズを有する別のリカバリーシート（以下、「第２のリカバリーシート」ともいう。）に切り替える方法（以下、「タイプＡ」ともいう。）や、再開後の１枚目の印刷物をオフセットする方法（以下、「タイプＢ」ともいう。）が含まれる。第２のリカバリーシートは、第３の媒体の一例である。
【００３７】
また、設定画面５には、タイプＡの方法を選択した場合に、切り替え後の第２のリカバリーシートの属性として、例えば、用紙の種類を指定する第２の設定ボックス５４４や用紙の色等を指定する第３の設定ボックス５４６が含めてもよい。
【００３８】
次に、図６を参照して、回避方法について説明する。図６は、回避方法に係るリカバリーオフセットの一例を説明する説明図であり、（ａ）は、上述したタイプＡの方法に係るリカバリーオフセットの一例を示し、（ｂ）は、タイプＢの方法に係るリカバリーオフセットの一例を示す。
【００３９】
「リカバリーオフセット」とは、印刷ジョブの実行中に障害（例えば、紙詰まり、停電や用紙切れ等）が発生して印刷が中断した後に再開した場合に、ページの抜け、ページの重複、印刷内容の異常等の不具合が生じていないかどうかの確認を目視的に行うための目印として、予め定められた特定の用紙をオフセットして排出することをいう。
【００４０】
特定の用紙には、上述したように予め定められた給紙トレイ２０ａから給紙される第１のリカバリーシート、再開後の１枚目の印刷物、印刷物と同一のサイズを有する第２のリカバリーシート等が含まれる。特定の用紙は、例えば、再開後の１枚目の印刷物の直前等の予め定められた特定の位置に排出される。
【００４１】
図６（ａ）に示すように、タイプＡの方法では、印刷物２０１と同一のサイズを有する第２のリカバリーシート２０３がオフセットされて排出される。この第２のリカバリーシート２０３は、上述した設定画面５により設定され、図４に示すリカバリー設定情報３１２として記憶部３１に記憶された情報に応じて特定された給紙トレイ２０ａから給紙される。詳細は、後述する。
【００４２】
図６（ｂ）に示すように、タイプＢの方法では、再開後の１枚目の印刷物２０１Ａがオフセットされて排出される。なお、このオフセットされて排出される再開後の１枚目の印刷物２０１Ａは、実行中の印刷ジョブの１つとして、その他の印刷物２０１と同一の給紙トレイ２０ａから給紙されるものである。オフセットされて排出される再開後の１枚目の印刷物２０１Ａは、第３の媒体の一例である。
【００４３】
画像処理部３３は、印刷データに対して、プリンタ２の印刷に必要な画像処理を行う。このような画像処理として、例えば、プリンタ２が解釈可能なページ記述言語（例えば、ＰＤＬ：Page Description Language）の解釈処理、すなわち、ＰＤＬで記述された印刷データをラスターデータからなる画像データに変換するＲＩＰ（Raster Image Processor）処理等を行う。
【００４４】
設定手段３０１は、上述した設定画面５をモニタ４Ａに表示し、入力デバイス４Ｂを操作して設定された設定内容をリカバリー設定情報３１２として記憶部３１に記憶する。
【００４５】
受付手段３０２は、ＰＣ６やプリントサーバ３から送信される印刷ジョブを受け付ける。印刷ジョブは、例えば、ヘッダ情報と、これに続く印刷データとから構成されている。印刷データは、文書データをＰＤＬで記述したページ単位のデータである。ヘッダ情報は、用紙を給紙する給紙トレイや、用紙の印刷後に印刷物を排出する排出トレイ等の情報を含む。
【００４６】
検知手段３０３は、印刷ジョブの実行中に何らかの障害（例えば、紙詰まり、停電や用紙切れ等）による発生する印刷の中断（以下、「ジャム」ともいう。）を検知する。
【００４７】
トレイ制御手段３０４は、プリンタ２との間で通信することによりプリンタ２が有するトレイ情報（給紙トレイ情報及び排出トレイ情報）を取得し、記憶部３１に記憶する。
【００４８】
また、トレイ制御手段３０４は、ジャムによる印刷の中断の後に印刷が再開した場合に、記憶部３１に記憶されたリカバリー設定情報３１２に従うとともに、トレイ情報テーブル３１１に記録された情報に応じて、プリンタ２に対してリカバリーオフセットを行うよう指示する。なお、本書において、トレイ制御手段３０４がプリンタ２に対して何らかの指示を行うことは、当該指示に係る処理を実行するようプリンタ２を制御することと実質的に同等であることに留意されたい。
【００４９】
具体的に説明する。まず、トレイ制御手段３０４は、印刷ジョブにより指定された排出先がサイズ混在ジョブの排出を許可しているか否か、つまり当該排出先がミックスサイズ禁止トレイでないかどうかの確認を行う。当該排出先がミックスサイズ禁止トレイの場合、トレイ制御手段３０４は、プリンタ２に対して、リカバリー設定情報３１２に記録された情報に応じて、特定の用紙をオフセットして排出するよう指示する。以下、具体例を例示して説明する。
【００５０】
（１）自動回避が設定されていない場合（図４の「設定ＩＤ」が１の場合）
印刷ジョブにより指示された用紙のサイズと第１のリカバリーシートのサイズとが同一の場合、トレイ制御手段３０４は、リカバリー設定情報３１２の「用紙トレイ」欄に記録されたトレイＩＤに係る給紙トレイ２０ａから給紙される第１のリカバリーシートをオフセットして排出するようプリンタ２に指示する。
【００５１】
印刷ジョブにより指示された用紙のサイズと第１のリカバリーシートのサイズとが異なる場合、トレイ制御手段３０４は、印刷ジョブの実行を一時停止するよう制御する。そして、設定画面を表示し、排紙トレイにおけるサイズ混在ジョブを禁止の設定を解除するという、印刷ジョブ再開のための設定変更をユーザに提示する。または、サイズ混在ジョブ禁止の設定解除に換えて、タイプＢに設定変更することをユーザに提示する。すわなち、リカバリー設定に矛盾が発生して印刷ジョブが再開できない場合に、矛盾を解消する設定変更をユーザに提示する。なお、サイズ混在ジョブの禁止を解除する場合であっても、リカバリーシートのサイズが印刷ジョブの用紙サイズよりも大きいことを条件に、印刷ジョブの用紙サイズと異なるサイズのリカバリーシートを排出することを許可するような設定変更をユーザに提示してもよい。
【００５２】
（２）タイプＡに係る自動回避が設定される場合（図４の「設定ＩＤ」が２の場合）
印刷ジョブにより指示された用紙のサイズと第１のリカバリーシートのサイズとが同一の場合、上述の（１）と同様に、トレイ制御手段３０４は、リカバリー設定情報３１２の「用紙トレイ」欄に記録されたトレイＩＤに係る給紙トレイ２０ａから給紙される第１のリカバリーシートをオフセットして排出するようプリンタ２に指示する。
【００５３】
また、印刷ジョブにより指示された用紙のサイズと第１のリカバリーシートのサイズとが異なる場合、トレイ制御手段３０４は、印刷物のサイズと同一のサイズを有する第２のリカバリーシートに切り替えるよう制御するとともに、第２のリカバリーシートをオフセットして排出するようプリンタ２に指示する。
【００５４】
より具体的には、トレイ制御手段３０４は、給紙トレイ情報テーブル３１１Ａから、印刷物のサイズと同一のサイズを有するとともに、リカバリー設定情報３１２に記録された種類や色に対応する用紙を給紙する給紙トレイ２０ａを第２のリカバリーシートの給紙先として特定する。例えば、トレイ制御手段３０４は、差サイズが「Ａ４」で、種類が「エンボス紙」で、色が「赤」の場合、「Ｔｒａｙ００３」の給紙トレイ２０ａを第２のリカバリーシートの給紙先として特定する。
【００５５】
（３）タイプＢに係る自動回避が設定される場合（図４の「設定ＩＤ」が３の場合）
印刷ジョブにより指示された用紙のサイズと第１のリカバリーシートのサイズとが同一の場合、上述の（１）と同様に、トレイ制御手段３０４は、リカバリー設定情報３１２の「用紙トレイ」欄に記録されたトレイＩＤに係る給紙トレイ２０ａから給紙される第１のリカバリーシートをオフセットして排出するようプリンタ２に指示する。
【００５６】
印刷ジョブにより指示された用紙のサイズと第１のリカバリーシートのサイズとが異なる場合、トレイ制御手段３０４は、プリンタ２に対して再開後の１枚目の印刷物をオフセットして排出するよう指示する。
【００５７】
（４）リカバリーシートを使用しないリカバリーオフセットが設定されている場合（図４の「設定ＩＤ」が４の場合）
刷ジョブにより指示された用紙のサイズと第１のリカバリーシートのサイズとが同一の場合、上述の（１）と同様に、トレイ制御手段３０４は、第１のリカバリーシートをオフセットして排出するようプリンタ２に指示する。印刷ジョブにより指示された用紙のサイズと第１のリカバリーシートのサイズとが異なる場合、トレイ制御手段３０４は、プリンタ２に対して再開後の１枚目の印刷物をオフセットして排出するよう指示する。
【００５８】
なお、この場合、トレイ制御手段３０４は、その他の印刷物２０１を給紙する給紙トレイ２０ａから給紙される用紙、すなわち印刷ジョブにより指定された印刷用紙に印刷を実行せずにオフセットして排出するようプリンタ２に指示してもよい。換言すれば、トレイ制御手段３０４は、印刷を実行しない印刷用紙を第２のリカバリーシートとするよう制御してもよい。印刷ジョブにより指定された給紙トレイ２０ａから給紙された用紙であって印刷が実行されずに排出される第２のリカバリーシートとしての用紙は、第３の媒体の一例である。
【００５９】
（実施の形態の動作）
次に、本発明の一実施の形態に係る印刷システム１の動作の一例を図７を参照して説明する。図７は、プリントサーバ３の動作の一例を示すフローチャートである。
【００６０】
設定手段３０１は、モニタ４Ａに表示される設定画面５に対するユーザの操作に応じて、リカバリー設定情報を設定する。受付手段３０２は、印刷ジョブを受け付ける。トレイ制御手段３０４は、プリンタ２からトレイ情報を取得する。プリントサーバ３は、受付手段３０２が受け付けた印刷ジョブに応じて、プリンタ２に対して印刷の実行を指示する。プリンタ２は、プリントサーバ３の制御に応じて、印刷を実行する。
【００６１】
印刷ジョブの実行中に、ジャムが発生したとする。検知手段３０３がジャムの発生を検知すると（Ｓ１：Ｙｅｓ）、トレイ制御手段３０４は、当該印刷ジョブにより指令された排出先がサイズ混在ジョブの排出を許可しているか否か（ミックスサイズ禁止トレイでないかどうか）を確認する（Ｓ２）。
【００６２】
印刷ジョブにより指令された当該排出先がサイズ混在ジョブの排出を許可している場合（ミックスサイズ禁止トレイでない場合）（Ｓ２：Ｙｅｓ）、トレイ制御手段３０４は、プリンタ２に対して第１のリカバリーシートをオフセットして排出するよう指示する。
【００６３】
印刷ジョブにより指令された当該排出先がサイズ混在ジョブの排出を許可していない、すなわち禁止している場合（ミックスサイズ禁止トレイである場合）（Ｓ２：Ｎｏ）トレイ制御手段３０４は、印刷ジョブにより指示された用紙のサイズと第１のリカバリーシートのサイズが同一か否かを確認する（Ｓ３）。
【００６４】
印刷ジョブにより指示された用紙のサイズと第１のリカバリーシートのサイズが同一の場合（Ｓ３：Ｙｅｓ）、トレイ制御手段３０４は、プリンタ２に対して第１のリカバリーシートをオフセットして排出するよう指示する（Ｓ４）。
【００６５】
印刷ジョブにより指示された用紙のサイズと第１のリカバリーシートのサイズが異なる場合（Ｓ３：Ｎｏ）、トレイ制御手段３０４は、サイズの混在を回避するよう制御する。
【００６６】
具体的には、回避方法がタイプＡの方法の場合、すなわち、印刷ジョブにより指示された用紙のサイズと同一のサイズを有する第２のリカバリーシートに切り替えるように設定されている場合（Ｓ５：Ｙｅｓ）、トレイ制御手段３０４は、プリンタ２に対して第２のリカバリーシートをオフセットして排出するよう指示する。もしくは、回避方法が設定されていない場合には、リカバリー動作案として、タイプＡとタイプＢの２案をユーザに提示し、ユーザに選択させる。
【００６７】
プリンタ２は、プリントサーバ３の指示に応じて、図６（ａ）に示すように、第２のリカバリーシートをオフセットして排出する（Ｓ６）。
【００６８】
なお、トレイ制御手段３０４は、上述したように、リカバリー設定情報３１２に記録された用紙の種類や色に該当する用紙を給紙トレイ情報テーブル３１１Ａから抽出して特定する。
【００６９】
回避方法がタイプＢの方法の場合（Ｓ５：Ｎｏ）、トレイ制御手段３０４は、プリンタ２に対して再開後の１枚目をオフセットして排出するよう指示する。
【００７０】
プリンタ２は、プリントサーバ３の指示に応じて、図６（ｂ）に示すように、再開後の１枚目をオフセットして排出する（Ｓ７）。また、再開後の１枚目だけでなく、複数枚をオフセットして排出してもよい。また、何枚をオフセットさせるかは、ユーザが設定してもよい。
【００７１】
以上、本発明の実施の形態を説明したが、本発明の実施の形態は上記実施の形態に限定されるものではなく、本発明の要旨を変更しない範囲内で種々の変形、実施が可能である。例えば、プリントサーバ３が有する機能をコントローラとしてプリンタ２が有していてもよい。
【００７２】
プリントサーバ３のプリンタ制御部３０は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【００７３】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができる。また、上記実施の形態で用いたプログラムをクラウドサーバ等の外部サーバに格納しておき、ネットワークを介して利用することができる。
【符号の説明】
【００７４】
１  印刷システム
２  プリンタ
２０  給紙部
２０ａ  給紙トレイ
２１  印刷部
２０１，２０１Ａ  印刷物
２０３  リカバリーシート（第２のリカバリーシート）
２２  後処理装置
２３Ａ，２３Ｂ  スタッカートレイ
２５  フィニッシャートレイ
２６  フィニッシャー排出トレイ
２７  外部フィニッシャー
３  プリントサーバ
３０  プリンタ制御部
３０１  設定手段
３０２  受付手段
３０３  検知手段
３０４  トレイ制御手段
３１  記憶部
３１０  プログラム
３１１  トレイ情報テーブル
３１１Ａ  給紙トレイ情報テーブル
３１１Ｂ  排出トレイ情報テーブル
３１２  リカバリー設定情報
３１３  画面情報
３３  画像処理部
４  ユーザ表示部
４Ａ  モニタ
４Ｂ  入力デバイス
７  ネットワーク
８  インターネット
９  ネットワーク
５  設定画面
５０  第１のチェックボックス
５２Ａ，５２Ｂ  第１の選択釦
５２０  第１の設定ボックス
５４  第２のチェックボックス
５４０Ａ，５４０Ｂ  第２の選択釦
５４４  第２の設定ボックス
５４６  第３の設定ボックス
【図１】
2020055201.tif 000003
【図２】
2020055201.tif 000004
【図３】
2020055201.tif 000005
【図４】
2020055201.tif 000006
【図５】
2020055201.tif 000007
【図６】
2020055201.tif 000008
【図７】
2020055201.tif 000009